(57)【要約】【課題】設置場所の状況にマッチし多面的な情報を取り入れた紫煙清浄機能をローコスト、短納期で導入し、紫煙清浄機能を十分に発揮し、快適な空間を確保する紫煙清浄基本ユニット及びそれを用いた紫煙清浄機並びに喫煙所を提供する。【解決手段】吸引口２側をクリーン室３に排気口４側をファン室５に分けた筐体６と、クリーン室３に設けた紫煙清浄機器７と、ファン室５のファン８と、紫煙清浄機器７及びファン８を適正作動させるための電装品９とを備えてなり、クリーン室３の少なくとも２方向から紫煙清浄機器７を出し入れ可能にしそれらから１方向を自在に選択でき、且つファン室５の少なくとも３方向に排気口４を設置可能にしそれらから１方向を自在に選択できるようにして、紫煙清浄化に必要な機器類を筐体６に集結させ、定期的なメンテナンス及び排気口４からの清浄化空気の吹き出しを可能且つ容易にして、外装や空間の形状変更の自由度を上げて周囲の状況にマッチさせ、その自在性により喫煙者の心理面及び行動面をコントロールし規制し、本来備わっている紫煙清浄機能を発揮する。【選択図】　　図２
2004101159.tif 000002
【特許請求の範囲】
【請求項１】
吸引口を設けた側をクリーン室に排気口側をファン室に分けた筐体と、前記クリーン室内に設けた紫煙清浄機器と、前記ファン室内に設けたファンと、前記紫煙清浄機器及び前記ファンを適正作動させるための電装品とを備えてなり、前記クリーン室の少なくとも２方向から前記紫煙清浄機器を出し入れ可能にしそれらから１方向を自在に選択でき、且つ前記ファン室の少なくとも３方向に前記排気口を設置可能にしそれらから１方向を自在に選択できるようにしたことを特徴とする紫煙清浄基本ユニット。
【請求項２】
前記紫煙清浄機器は、煙草の紫煙中の粉塵を粗取りするプレフィルタと、該プレフィルタを通過した粉塵を除去する電気集塵機と、該電気集塵機を通過した臭気物質を除去する脱臭フィルタと、を少なくとも含むことを特徴とする請求項１記載の紫煙清浄基本ユニット。
【請求項３】
前記電装品は、筐体内に装備した少なくとも電気集塵機及びファンのコントロール基盤と、少なくともリミットスイッチ及びヒューズの保安機器と、１以上のオンオフ信号入出力兼用ポートと、１以上の動作信号入出力パラレルポートと、を少なくとも含むことを特徴とする請求項１又は２記載の紫煙清浄基本ユニット。
【請求項４】
前記電装品は、筐体内に装備した少なくとも電気集塵機及びファンのコントロール基盤と、少なくともリミットスイッチ及びヒューズの保安機器と、１以上のオンオフ信号入出力兼用ポートと、シリアル通信機能付コンピュータ及びそれに接続した制御用シリアル通信ポートと、を少なくとも含むことを特徴とする請求項１又は２記載の紫煙清浄基本ユニット。
【請求項５】
前記筐体は、他物に取り付け出来るように予め取付部を設け、且つ他物の強度を補強するのに十分な強度を備えてなることを特徴とする請求項１、２、３又は４記載の紫煙清浄基本ユニット。
【請求項６】
請求項１、２、３、４又は５記載の紫煙清浄基本ユニットを任意形状の外装にて覆ったことを特徴とする紫煙清浄基本ユニットを用いた紫煙清浄機。
【請求項７】
請求項１、２、３、４又は５記載の紫煙清浄基本ユニットを任意形状の空間に装備したことを特徴とする紫煙清浄基本ユニットを用いた喫煙所。
【発明の詳細な説明】
【０００１】
【発明の属する技術分野】
本発明は、紫煙清浄化に関与する機能部分をまとめてユニット化し、それを必要に応じて家具に内蔵させたり任意形状の外装にて覆ったりして、更に部屋に装備出来るようにした紫煙清浄基本ユニット並びにそれを用いた紫煙清浄機及び喫煙所に関する。
【０００２】
【従来の技術】
現在、煙草の紫煙の清浄方法は、大別して３種類ある。これらは、▲１▼紫煙を直接的に吸引して清浄化するタイプ、▲２▼一定空間をエアーカーテンなどで囲い、紫煙を出さないようにすると共に囲い内で吸引して清浄化するタイプ、▲３▼上記の▲１▼と▲２▼とを組合せたもので、紫煙を直接的に吸引して清浄化し、吸引出来なかった紫煙をエアーカーテンなどによる囲いにより外に出さないようにするタイプ、である。
【０００３】
▲１▼のタイプとしては、図１６に示すような喫煙カウンターａがあり、室内の任意箇所に配置され、カウンター本体ｂの側面に排気口ｃを設けると共に上面に吸引口ｄを設け、該吸引口ｄの上方に遮蔽板ｅを支柱ｆにより支持して設け、吸引口ｄと排気口ｃとの間のカウンター本体ｂ内に空気清浄機を設けたものである。この喫煙カウンターａの周辺で人が煙草を吸うと、紫煙は周辺のエアーと共に遮蔽板ｅにガイドされ吸引口ｄからカウンター本体ｂ内に入り、空気清浄機により清浄化されて排気口ｃから外部に排気される。
【０００４】
▲２▼のタイプとしては、図１７に示すような喫煙ユニット（実開平７−３５９２７号公報参照）がある。この喫煙ユニットａ１は、天井部ｇの周囲に吹出口ｈがあり天井部ｇの中央部に吸引口ｄがあって、吹出口ｈからのエアーカーテンｉにより床ｊ、天井部ｇと相まって喫煙空間Ａをつくり、この喫煙空間Ａ内のエアーを天井部ｇの吸引口ｄにて吸引して喫煙空間Ａ内を一時的に負圧にして、室内の他の空間に紫煙や悪臭を流出しないようにし、天井部ｇ内にある空気清浄機により清浄エアーとして再び吹出口ｈから吹き出し、エアーカーテンｉとして循環させているものである。
【０００５】
▲３▼のタイプとしては、図１８に示すような気流制御型分煙機（特開２００１−１７４０１１号公報参照）がある。この気流制御型分煙機ａ２は、機械本体ｍが、箱体ｎの側部にパネルｏを取り付けた形状とし、該パネルｏにこれと共に室内を区分けするためのエアーカーテンｉを形成する吹出口ｈを設け、箱体ｎにエアーカーテンｉにより区分けした一方の喫煙空間Ａに位置させた吸引口ｄを設けて、他方の非喫煙空間Ｂに位置させた排気口ｃをパネルｏに設け、箱体ｎ内に空気清浄機を設けてなり、排気口ｃからの清浄エアー排気量を少なくとも非喫煙空間Ｂからの外部巻込エアー量Ｑよりも大となるように設定し、パネルｏ及びエアーカーテンｉにより室内を区分けした吸引口ｄ側の喫煙空間Ａ内を負圧状態にしたものである。これにより、喫煙空間Ａ内にある機械本体ｍ周辺の紫煙を直ちに吸引口ｄから吸い込み、空気清浄機により清浄エアーにし、その一部を排気口ｃから外部巻込エアー量Ｑよりも大となるように非喫煙空間Ｂに排気して、喫煙空間Ａ内を負圧状態に保持し、清浄エアーの残りを吹出口ｈから吹き出しエアーカーテンｉとして、吸引口ｄに吸い込まれなかった紫煙も、喫煙空間Ａ内が負圧状態であるから、最終的に吸引口ｄに吸い込まれ空気清浄機により清浄エアーにされ、排気口ｃから非喫煙空間Ｂに排出される。
【０００６】
これらの▲１▼、▲２▼、▲３▼の方法は、いずれもレディーメイドの紫煙清浄機を室内に配置して喫煙所を創設するものであるから、どちらかというと紫煙清浄機に合わせて、部屋のレイアウトや構成を行うものであり、部屋の状況に特に関係なく紫煙清浄機を運転している。また、紫煙清浄機能をある一定の水準に保持するには必ずメンテナンスが必要になるが、このメンテナンスは経験則に基づいた周期により行っている。
【０００７】
【発明が解決しようとする課題】
しかしながら、図１６の喫煙カウンターａは、室内などに配置すれば簡単に紫煙処理機能を有した喫煙所となり、喫煙者と言えども他人の紫煙は出来れば避けたいという願望を満たすことが出来て都合がよい。しかし、この喫煙カウンターａを設置しただけでは、快適な喫煙所を確保することが難しい。すなわち、喫煙者が吸引口ｄから少し離れると紫煙を吸引出来ず、喫煙所から紫煙が漏れ易く非喫煙者に迷惑が及び、喫煙マナーに集煙効果を大きく依存しているからである。
【０００８】
また、図１７の喫煙ユニットａ１は、公共スペースなどに配置すれば、紫煙処理機能を有した喫煙所となり得る点で都合がよい。しかし、この喫煙ユニットａ１は、大がかりなものであるから、容易に移動出来ず、簡易的に紫煙処理機能を有した喫煙所とすることが困難である。また、天井部ｇを支持する柱ｋが必要となり、更に、天井に吊るすようなタイプにしても、喫煙空間Ａ内を一時的に負圧状態にすることが出来ても、中央部にある吸引口ｄから吸い込んだエアーは、その全量を再び吹出口ｈからのエアーカーテンｉとするから、結局は喫煙空間Ａ内を恒常的に負圧状態にすることが出来ず、紫煙が喫煙空間Ａ外に流出する。したがって、この喫煙ユニットａ１は、仮に喫煙マナーが良くても集煙効果が期待できず、直接的に紫煙を吸引しないから、喫煙者と言えども他人の紫煙を出来れば避けたいという願望も満たすことが出来ず、快適な喫煙所とするにはほど遠いものである。
【０００９】
更に、図１８の気流制御型分煙機ａ２は、公共スペースなどに配置すれば簡単に紫煙処理機能を有した喫煙所となり、喫煙者と言えども他人の紫煙は出来れば避けたいという願望を満たし、喫煙者が吸引口ｄから離れて紫煙を吐き出しても、パネルｏ及びエアーカーテンｉにより創設した喫煙空間Ａ内であれば紫煙が漏れず、喫煙マナーに集煙効果を大きく依存せず都合がよい。しかし、この気流制御型分煙機ａ２は、室内の公共スペースの壁際などに設置した場合に、その性能を大きく発揮するものであるから、公共スペースに喫煙所を任意に創設できるという自在性は低い。
【００１０】
また、これらの図１６から図１８の紫煙清浄機に共通して言えることは、レディーメイドであるから、外装のデザインや機能面でのニーズの多様化に対応できず、他の家具やＯＡ機器などにより快適で効率の良い空間を室内で創設しているのにかかわらず、これらのレディーメイドの紫煙清浄機により、せっかく創設した快適で効率の良い空間の質を落としている。
これに対して、これらの紫煙清浄機を外装のデザインや機能面で対応しようとしても、外装と紫煙処理機能とが明確に分離していないから、それが大きな制約となり、変更の際の手枷足枷となって自由度が非常に低くなり、事実上不可能である。この変更を強行しようとすれば、完全なオーダーメイドの紫煙清浄機となり、価格、納期共に大幅に上昇する。
【００１１】
加えて、紫煙清浄機の外装のデザインは、その特殊性から性能の重要な一要素である。すなわち、喫煙者が吸引口ｄに向かって紫煙を吐き出せば、直ちに吸引され空気清浄機により清浄化されて排気口ｃから外部に排気されから、それは紫煙清浄機の性能を１００％引き出したことになる。喫煙者にこのような行動を取らすことに、紫煙清浄機の外装のデザインが大きく関与する。このデザイン如何によって、喫煙者の心理面及び行動面はコントロールされ規制され得るからである。したがって、紫煙清浄機の外装のデザインがその場所・その空間の状況に合わせて自在且つ容易に変更出来ないことは、紫煙清浄機自体の性能を大幅に低下させることに繋がる。
【００１２】
また、図１６から図１８の紫煙清浄機は、室内の状況に制約されないで、１台ずつ独立して室内に設置することを前提としている。このため、室内の状況に関係なく、複数の紫煙清浄機同士の関連性もなく運転され、この場合も紫煙清浄機自体の性能を大幅に低下させることに繋がり、エネルギーを無駄に消費することにもなる。更に、メンテナンスは経験則に基づいた周期により行っているため、紫煙清浄機の使用条件が激増した場合、これに対応できず故障やその他の不都合が発生することがあった。
そこで、本発明は、上記事情に鑑みてなされたもので、▲１▼その場所その空間の状況にマッチさせた紫煙清浄機能を導入して、快適で効率の良い空間を維持することが出来、▲２▼しかもそれをローコスト、短納期で実現できて、本来的に有している紫煙清浄機能を十分発揮し、▲３▼加えて紫煙の発生以外の要因、紫煙清浄機能同士の関連性及びメンテナンス情報も取り入れて、更に紫煙清浄機能を高めることで、室内の任意箇所を容易に喫煙所に出来、▲４▼したがって、喫煙マナーのみに集煙効果を期待しなくても、紫煙を吸引清浄化して他人に紫煙がかからないようにして、快適な空間を確保出来る紫煙清浄基本ユニット及びそれを用いた紫煙清浄機並びに喫煙所を提供することを課題とする。
【００１３】
【課題を解決するための手段】
上記課題を解決するため、請求項１記載の発明は、吸引口を設けた側をクリーン室に排気口側をファン室に分けた筐体と、前記クリーン室内に設けた紫煙清浄機器と、前記ファン室内に設けたファンと、前記紫煙清浄機器及び前記ファンを適正作動させるための電装品とを備えてなり、前記クリーン室の少なくとも２方向から前記紫煙清浄機器を出し入れ可能にしそれらから１方向を自在に選択でき、且つ前記ファン室の少なくとも３方向に前記排気口を設置可能にしそれらから１方向を自在に選択できるようにしたことを特徴とする。したがって、この特徴によれば、紫煙清浄化に必要な機器類を筐体に集結させ、定期的なメンテナンス必要機器は２方向のうち予め自在に選択した１方向から出し入れし、ファンのエアー吹き出しは３方向のうち予め自在に選択した１方向の排気口から吹き出して、紫煙清浄化に必須な機器類以外の外装や空間の形状変更の自由度を上げ、これらの外装や空間を周囲の状況にマッチさせ得、外装や空間のみの変更で良くして製作を容易とし、外装や空間の自在性により喫煙者の心理面及び行動面をコントロールし規制し得て、本来備わっている紫煙清浄機能を発揮する。
【００１４】
請求項２記載の発明は、前記紫煙清浄機器は、煙草の紫煙中の粉塵を粗取りするプレフィルタと、該プレフィルタを通過した粉塵を除去する電気集塵機と、該電気集塵機を通過した臭気物質を除去する脱臭フィルタと、を少なくとも含むことを特徴とする。したがって、この特徴によれば、筐体のクリーン室に設けたプレフィルタ、電気集塵機及び脱臭フィルタにより紫煙を順次清浄化し、これらを選択したメンテナンスの容易な方向から出し入れして、メンテナンスをする。
【００１５】
請求項３記載の発明は、前記電装品は、筐体内に装備した少なくとも電気集塵機及びファンのコントロール基盤と、少なくともリミットスイッチ及びヒューズの保安機器と、１以上のオンオフ信号入出力兼用ポートと、１以上の動作信号入出力パラレルポートと、を含むことを特徴とする。したがって、この特徴によれば、コントロール基盤及び保安機器以外に、上記の兼用ポート及びパラレルポートを備えることで、外部の制御コンピュータとの情報の入出力を行い、外部の制御コンピュータの動作信号により運転管理する。
【００１６】
請求項４記載の発明は、前記電装品は、筐体内に装備した少なくとも電気集塵機及びファンのコントロール基盤と、少なくともリミットスイッチ及びヒューズの保安機器と、１以上のオンオフ信号入出力兼用ポートと、シリアル通信機能付コンピュータ及びそれに接続した制御用シリアル通信ポートと、を含むことを特徴とする。したがって、この特徴によれば、コントロール基盤及び保安機器以外に、上記の兼用ポート並びにシリアル通信機能付コンピュータ及びそのポートを備えることで、独立して運転管理が出来、更に外部の制御コンピュータとシリアル通信で情報の入出力を行い、その連携でも運転管理する。
【００１７】
請求項５記載の発明は、前記筐体は、他物に取り付け出来るように予め取付部を設け、且つ他物の強度を補強するのに十分な強度を予め備えてなることを特徴とする。したがって、この特徴によれば、外装などの他物に筐体を取付部を利用してそのまま取り付け、他物に強度を付与する。
【００１８】
請求項６記載の発明は、上記した紫煙清浄基本ユニットを任意形状の外装にて覆ったことを特徴とする。したがって、この特徴によれば、外装で覆うだけで任意形状の紫煙清浄機を得る。
【００１９】
請求項７記載の発明は、上記した紫煙清浄基本ユニットを任意形状の空間に装備したことを特徴とする。したがって、この特徴によれば、上記空間に紫煙清浄基本ユニットを装備するだけで、上記空間を喫煙所に出来る。
【００２０】
【発明の実施の形態】
以下、本発明の実施の形態を図１〜１５に基づいて詳述する。
図１は本発明の実施の形態である紫煙清浄基本ユニットの斜視図、図２はこの紫煙清浄基本ユニットの断面図である。図面において、１は紫煙清浄基本ユニットを示し、この紫煙清浄基本ユニット１は、吸引口２を設けた側をクリーン室３に排気口４側をファン室５に分けた筐体６と、クリーン室３内に設けた紫煙清浄機器７と、ファン室５内に設けたファン８と、紫煙清浄機器７及びファン８を適正作動させるための電装品９（図７参照）とを備え、クリーン室３の少なくとも２方向Ｃ、Ｄから紫煙清浄機器７を出し入れ可能にしそれらから１方向Ｃを自在に選択し、且つファン室５の少なくとも３方向Ｅ、Ｆ、Ｇに排気口４を設置可能にしそれらから１方向Ｆを自在に選択できるようにして、ファン８の吹き出しを可能にしてなるものである。
【００２１】
前記筐体６は、直方体をなし一面に前記吸引口２を、反対面に前記排気口４をそれぞれ設け、中間に設けた仕切板１０により吸引口２側を前記クリーン室３、排気口４側を前記ファン室５とし、これらは仕切板１０に設けた開口１１により連通している。また、この筐体６は、他物、例えば後述する箱形外装６０に取り付け出来るように予め取付部、例えばボルト孔を設け、且つ箱形外装６０の強度を補強するのに十分な強度を予め備えている。したがって、箱形外装６０などに筐体６をボルト孔を利用してそのまま取り付けることで、箱形外装６０に強度を付与することも出来る。
【００２２】
前記クリーン室３内には前記紫煙清浄機器７が収納され、この紫煙清浄機器７は、ある一定の清浄性能をクリアーするものであれば特に限定がないが、この実施形態では、吸引口２の直後に取り付けられ煙草の紫煙中の粉塵を粗取りするプレフィルタ２０と、このプレフィルタ２０を通過した粉塵及び臭気成分の一部を除去する電気集塵機２１と、この電気集塵機２１を通過した臭気物質を主に除去する脱臭フィルタ２２と、を少なくとも含んでいる。一方、ファン室５内に設けられたファン８は、前記吸引口２から紫煙を空気と共に吸引し、紫煙清浄機器７を通し清浄エアーを排気口４から排出させるものである。なお、電気集塵機２１の代わりに、脱臭機能を併せ持つ高性能なメカニカルフィルターを用いてもよい。また、ファン８も必要な容量及び圧力の条件が満たせば特に限定がない。
【００２３】
そして、前記クリーン室３内に収納された前記紫煙清浄機器７は、使用により紫煙中の粉塵、臭気成分が付着したり吸着したりして、これらの除去性能が徐々に低下するから、ある時点で必ずメンテナンスをしてこれらの除去性能を回復しなければならない。それには前記クリーン室３内から紫煙清浄機器７を一旦取り外して、洗浄したり交換したりする必要がある。したがって、この紫煙清浄基本ユニット１は、その場所その空間の状況にマッチさせた状況下において、紫煙清浄機能を導入して、快適で効率の良い空間を維持することが出来、しかもそれをローコスト、短納期で実現できて、本来的に有している紫煙清浄機能を十分発揮することを旨とするから、図２に示すように、筐体６のクリーン室３の少なくとも２方向Ｃ、Ｄから紫煙清浄機器７を取り外して、洗浄したり交換したりすることが出来るようになっている。すなわち、図１、３に示すツマミ付ネジ２３により着脱自在の清浄機カバー２４がクリーン室３の選択した一方向Ｃに装着してあり，ツマミ付ネジ２３を外し、清浄機カバー２４を取り外せば、紫煙清浄機器７全体をあるいはプレフィルタ２０、電気集塵機２１の集塵エレメント２５及び脱臭フィルタ２２をそれぞれ単独で引き出すことが出来、予備のプレフィルタ２０及び電気集塵機２１の集塵エレメント２５並びに新品の脱臭フィルタ２２を装着して、ツマミ付ネジ２３で清浄機カバー２４を取り付ける。
【００２４】
また、前記ファン室５の前記排気口４も、前述の紫煙清浄機器７と同様の理由により、図２に示すように筐体６のファン室５の少なくとも３方向Ｅ、Ｆ、Ｇに排気口４を設置可能にし、それらから１方向を自在に選択出来て、選択した方向の排気口４から清浄エアーをファン８により吹き出し出来るようになっている。すなわち、筐体６のファン室５は、図４〜６に示すように、ファン８を設置するＬ型ファンベース３０とＩ型カバー３１を有している。これらのＬ型ファンベース３０におけるｄ１及びｄ２寸法、Ｉ型カバー３１におけるｄ３寸法が同一となっている。したがって、これらのＬ型ファンベース３０のｄ１及びｄ２、Ｉ型カバー３１のｄ３が同一であるから、方向Ｆを選択した場合は図４に示すようにし、方向Ｅを選択した場合は図５に示すようにし、更に方向Ｇを選択した場合は図６に示すように、することが可能となる。
【００２５】
前記電装品９は、図７に示すように、筐体６内に装備した少なくとも電気集塵機２１及びファン８のコントロール基盤４０と、少なくともリミットスイッチ４１及びヒューズ４２の保安機器４３と、１以上のオンオフ信号入出力兼用ポート４４と、１以上の動作信号入出力パラレルポート４５と、を少なくとも含むものである。このコントロール基盤４０は、電源入力用ポート４２ａ、保安機器４３、オンオフ信号入出力兼用ポート４４及び動作信号入出力パラレルポート４５に接続し、動作信号入出力パラレルポート４５を経由して制御用コンピュータ４６に接続している。更に、この制御用コンピュータ４６は、空調機器情報４７を受け入れ、煙センサ４８及び人感知センサ４９にも接続し、他の同じような紫煙清浄基本ユニット１ａ……に接続している。したがって、この紫煙清浄基本ユニット１は、コントロール基盤４０及び保安機器４３以外に、上記の動作信号入出力パラレルポート４５を備えることで、外部にある制御コンピュータ４６と情報の入出力を行い、外部の制御コンピュータ４６の動作信号により運転管理することになるから、この紫煙清浄基本ユニット１は中央制御型ユニットである。なお、オンオフ信号入出力兼用ポート４４は、紫煙清浄基本ユニット１の設置現場近くの操作スイッチなどに接続され、外部の制御コンピュータ４６に優先して、紫煙清浄基本ユニット１を現場にて運転することが出来る。
【００２６】
また、図８に示すような電装品９ａを有する紫煙清浄基本ユニット１Ａであっても良い。この電装品９ａは、ローカル制御型ユニットを指向するものであり、筐体６内に装備した少なくとも電気集塵機２１及びファン８のコントロール基盤４０ａと、少なくともリミットスイッチ４１及びヒューズ４２の保安機器４３と、１以上のオンオフ信号入出力兼用ポート４４と、シリアル通信機能付コンピュータ５０及びそれに接続した制御用シリアル通信ポート５１と、を少なくとも含むものである。このコントロール基盤４０ａは、電源入力用ポート４２ａ、保安機器４３、オンオフ信号入出力兼用ポート４４及びシリアル通信機能付コンピュータ５０に接続し、更に、このシリアル通信機能付コンピュータ５０は、制御用シリアル通信ポート５１を経由してハブコンピュータである制御用コンピュータ４６ａに接続している。この制御用コンピュータ４６ａは、空調機器情報４７を受け入れ、煙センサ４８及び人感知センサ４９にも接続し、他の上記と同じような紫煙清浄基本ユニット１Ｂ……に接続している。したがって、この紫煙清浄基本ユニット１Ａは、コントロール基盤４０ａ及び保安機器４３以外に、上記のオンオフ信号入出力兼用ポート４４並びにシリアル通信機能付コンピュータ５０及びその制御用シリアル通信ポート５１を備え全自動運転でき、外部の制御コンピュータ４６ａとシリアル通信で情報の入出力を行い、その連携で運転管理をするものである。
【００２７】
以上のように構成された中央制御型ユニットを指向する紫煙清浄基本ユニット１又は、ローカル制御型ユニットを指向する紫煙清浄基本ユニット１Ａは、例えば、図９に示すように箱形外装６０内に収納され、最も単純な構造の紫煙清浄機６１となる。この紫煙清浄機６１の箱形外装６０は、一側面上部に吸引口６２を設け、反対面下部に排気口６３を設けて、更に底面にアジャスター６４を取り付けた構造である。この箱形外装６０に収納されている紫煙清浄基本ユニット１又は１Ａは、クリーン室３の方向Ｄから紫煙清浄機器７を出し入れ可能で、且つファン室５の方向Ｇに排気口４を設置したもの（図６に示すもの）が採用される。
【００２８】
この紫煙清浄基本ユニット１又は１Ａのうち前者を収納した紫煙清浄機６１は、例えば、図１０、１１に示すように、室内の３連の椅子６５とカウンター６６との間に設置する。そして、室内の天井に排気吸引ダクト６７を設置し、この排気吸引ダクト６７に煙感知センサ４８を取り付け、更にこれらの機器を運転制御する制御用コンピュータ４６内蔵のコントロールユニット６８を室内の壁際に設置している。煙感知センサ４８にて煙を感知すると、コントロールユニット６８により紫煙清浄機６１内の紫煙清浄基本ユニット１は作動して、上部の吸引口６２から紫煙が周囲の空気と共に吸引され、紫煙清浄機器７により清浄化されて排気口６３から吹き出されるから、室内に図１１中の矢線で示す気流が生じ、３連の椅子６５に座っている喫煙者からの紫煙は主に吸引口６２から直接吸引され浄化される。一方、カウンター６６で立っている喫煙者からの紫煙は、矢線の気流に乗り、一部は室内の天井の排気吸引ダクト６７に吸引されるが、大半は吸引口６２から吸引され浄化されることになる。また、コントロールユニット６８の制御用コンピュータ４６は、空調機器情報４７や人感知センサ４９の情報も受け入れているから、それらに基づく動作信号を出し、それらにより紫煙清浄基本ユニット１を運転制御する。
【００２９】
また、図１２はローカル制御型ユニットである紫煙清浄基本ユニット１Ａを棚付ゲート７０の棚７１に設置したものであり、三方を壁などで囲われた部屋の一角に棚付ゲート７０を置き、その内側を喫煙所としたり、あるいは喫煙者の執務室とする場合などに使用される。この紫煙清浄基本ユニット１Ａは、クリーン室３の方向Ｃから紫煙清浄機器７を出し入れ可能で、且つファン室５の方向Ｆに排気口４を設置したもの（図４に示すもの）が採用される。そして、棚付ゲート７０の入口７２上部にエアーカーテン装置７３を設置し、更に棚７１にタッチパネルタイプのコントロールユニット７４を設置する。コントロールユニット７４のタッチパネルをオンするか、煙感知センサ４８や人感知センサ４９からの情報により棚付ゲート７０設置の紫煙清浄基本ユニット１Ａは作動し、同時にてエアーカーテン装置７３も作動して、棚付ゲート７０の内側に向いている前記吸引口２から空気を吸引し、外側の前記排気口４から排気され、更にエアーカーテン装置７３から空気が吹き下ろされ、入口７２を気流的に塞ぐことになるから、棚付ゲート７０の内側で発生した紫煙は、周囲の空気と共に紫煙清浄基本ユニット１Ａ内を通り、紫煙清浄機器７により清浄化されて排気口４から吹き出されることになる。したがって、棚付ゲート７０に紫煙清浄基本ユニット１Ａ及びエアーカーテン装置７３を設置するだけで、その場所その空間の状況にマッチさせた状況下において、紫煙清浄機能を導入して、快適で効率の良い空間を維持することが出来、しかもそれをローコスト、短納期で実現できて、本来的に有している紫煙清浄機能を十分発揮することが可能となる。
【００３０】
また、図１３〜１５は中央制御型ユニットである紫煙清浄基本ユニット１をＬ字状サイドボード７５の両端内に設置したものであり、二方を壁などで囲われた部屋の一角にＬ字状サイドボード７５を置き、このＬ字状サイドボード７５の外側に天井まで届くエアーカーテン柱７６を２本設置し、更に２本のエアーカーテン柱７６間を塞ぐ板７７をＬ字状サイドボード７５上に置く。２本のエアーカーテン柱７６は、Ｌ字状サイドボード７５の上方と部屋の壁とＬ字状サイドボード７５との間を気流的に塞ぐものである。Ｌ字状サイドボード７５の内側に吸引口７８があり、外側の下部に排気口７９がある。この吸引口７８はＬ字状サイドボード７５の側板に隙間を開けて正方形板８０を取り付けた形状をなし、正方形板８０の周縁から空気を吸引するようになっている。また、Ｌ字状サイドボード７５の両端に人感知センサ４９が取り付けられている。そして、部屋の壁とＬ字状サイドボード７５とで囲われた内側を喫煙所としたり、あるいは喫煙者の執務室とする場合などに使用される。この紫煙清浄基本ユニット１は、クリーン室３の方向Ｄから紫煙清浄機器７を出し入れ可能で、且つファン室５の方向Ｇに排気口４を設置したもの（図６に示すもの）が採用される。
【００３１】
人感知センサ４９にて人を感知すると、制御用コンピュータ４６によりＬ字状サイドボード７５内の紫煙清浄基本ユニット１は作動して、吸引口７８の正方形板８０の周縁から空気を吸引し、下部の排気口７９から吹き出され、２本のエアーカーテン柱７６から図のようなエアーカーテンを吹き出し、更に２本のエアーカーテン柱７６の間は板７７により塞がっているから、部屋の壁とＬ字状サイドボード７５とで囲われた内側は完全に気流的に囲われる。したがって、Ｌ字状サイドボード７５の内側で発生した紫煙は、周囲の空気と共に紫煙清浄基本ユニット１内を通り、紫煙清浄機器７により清浄化されて排気口７９から吹き出されることになる。制御用コンピュータ４６は、空調機器情報４７や煙感知センサ４８の情報を受け入れているから、それらに基づく動作信号を出し、それらにより紫煙清浄基本ユニット１を運転制御する。
【００３２】
以上、本発明の実施形態を説明したが、具体的な構成はこれに限定されず、本発明の要旨を逸脱しない範囲内での変更、追加は本発明の範囲内である。
【００３３】
【発明の効果】
以上詳述したように、本発明によれば、以下のような効果がある。
請求項１の発明の紫煙清浄基本ユニットは、紫煙清浄化に必要な機器類を筐体に集結させ、定期的なメンテナンス必要機器は２方向のうち予め自在に選択した１方向から出し入れし、ファンのエアー吹き出しは３方向のうち予め自在に選択した１方向の排気口から吹き出して、紫煙清浄化に必須な機器類以外の外装や空間の形状変更の自由度を上げ、これらの外装や空間を周囲の状況にマッチさせ得、外装や空間のみの変更で良くして製作を容易とし、外装や空間の自在性により喫煙者の心理面及び行動面をコントロールし規制し得て、本来備わっている紫煙清浄機能を発揮する。したがって、その場所その空間の状況にマッチさせた紫煙清浄機能を導入して、快適で効率の良い空間を維持することが出来、しかもそれをローコスト、短納期で実現できて、本来的に有している紫煙清浄機能を十分発揮することが出来る。
【００３４】
請求項２の発明の紫煙清浄基本ユニットは、筐体のクリーン室に設けたプレフィルタ、電気集塵機及び脱臭フィルタにより紫煙を順次清浄化し、これらを選択したメンテナンスの容易な方向から出し入れして、メンテナンスをする。したがって、上記効果に加えて、紫煙清浄機器のメンテナンス周期を最も長く出来、メンテナンス回数を少なく出来る。
【００３５】
請求項３の発明の紫煙清浄基本ユニットは、コントロール基盤及び保安機器以外に、オンオフ信号入出力兼用ポート及び動作信号入出力パラレルポートを備えることで、外部の制御コンピュータとの情報の入出力を行い、外部の制御コンピュータの動作信号により運転管理する。したがって、上記効果に加えて、外部の制御コンピュータが有するあるいは入力された情報により、紫煙清浄基本ユニットを最も効率が良いとされる運転管理とすることが自由に出来る。
【００３６】
請求項４の発明の紫煙清浄基本ユニットは、コントロール基盤及び保安機器以外に、オンオフ信号入出力兼用ポート並びにシリアル通信機能付コンピュータ及びそのポートを備えることで、外部の制御コンピュータとシリアル通信で情報の入出力を行い、全自動で運転管理する。したがって、上記効果に加えて、外部の制御コンピュータで全自動の運転管理が出来、これらの選択において紫煙清浄基本ユニットを最も効率が良いとされる運転管理とすることが自由に出来る。
【００３７】
請求項５の発明の紫煙清浄基本ユニットは、外装などの他物に筐体を取付部を利用してそのまま取り付け、他物に強度を付与する。したがって、上記効果に加えて、外装などの他物の強度を特別に考慮しなくて良いから、一層外装などの他物が作り易くなる。
【００３８】
請求項６の発明の紫煙清浄機は、外装で覆うだけで任意形状のもの得る。したがって、その場所その空間の状況にマッチした形状の紫煙清浄機をローコスト、短納期で実現できて、本来的に有している紫煙清浄機の機能を十分発揮することが出来る。
【００３９】
請求項７の発明の喫煙所は、空間に紫煙清浄基本ユニットを装備するだけで、その空間を喫煙所に出来る。したがって、その場所の空間の現況のままで、紫煙清浄機機能を有した喫煙所を創設でき、しかもローコスト、短納期で実現でき、十分な紫煙清浄機能を発揮することが出来る。
【図面の簡単な説明】
【図１】本発明の実施の形態である紫煙清浄基本ユニットの斜視図。
【図２】紫煙清浄基本ユニットの概念を示す断面図。
【図３】紫煙清浄基本ユニットの紫煙清浄機器のメンテナンス状況を示す斜視図。
【図４】紫煙清浄基本ユニットのファン室の構造を示す断面図。
【図５】紫煙清浄基本ユニットのファン室の構造を示す断面図。
【図６】紫煙清浄基本ユニットのファン室の構造を示す断面図。
【図７】紫煙清浄基本ユニットの構成を示す模式図。
【図８】紫煙清浄基本ユニットの他の構成を示す模式図。
【図９】本発明の実施の形態である紫煙清浄基本ユニットを組み込んだ紫煙清浄機の斜視図。
【図１０】図９の紫煙清浄機を室内に配置し喫煙所とした状態を示す平面図。
【図１１】図１０の喫煙所を示す側面図。
【図１２】本発明の実施の形態である紫煙清浄基本ユニットを組み込んだ他の紫煙清浄機の斜視図。
【図１３】本発明の実施の形態である紫煙清浄基本ユニットを組み込んだ他の紫煙清浄機の平面図。
【図１４】図１３の紫煙清浄機の側面図。
【図１５】図１３の紫煙清浄機の側面図。
【図１６】従来例を示す斜視図。
【図１７】従来例を示す斜視図。
【図１８】従来例を示す側面図。
【符号の説明】
１、１Ａ、１ａ、１Ｂ　　紫煙清浄基本ユニット
２、６２、７８、ｄ　　　吸引口
３　　　　　　　　　　　クリーン室
４、６３、７９、ｃ　　　排気口
５　　　　　　　　　　　ファン室
６　　　　　　　　　　　筐体
７　　　　　　　　　　　紫煙清浄機器
８　　　　　　　　　　　ファン
９、９ａ　　　　　　　　電装品
１０　　　　　　　　　　仕切板
１１　　　　　　　　　　開口
２０　　　　　　　　　　プレフィルター
２１　　　　　　　　　　電気集塵機
２２　　　　　　　　　　脱臭フィルター
２３　　　　　　　　　　ツマミ付ネジ
２４　　　　　　　　　　清浄機カバー
２５　　　　　　　　　　集塵エレメント
３０　　　　　　　　　　Ｌ型ファンベース
３１　　　　　　　　　　Ｉ型ファンベース
４０、４０ａ　　　　　　コントロール基盤
４１　　　　　　　　　　リミットスイッチ
４２　　　　　　　　　　ヒューズ
４２ａ　　　　　　　　　電源入力用ポート
４３　　　　　　　　　　保安機器
４４　　　　　　　　　　オンオフ信号入出力兼用ポート
４５　　　　　　　　　　動作信号入出力パラレルポート
４６、４６ａ　　　　　　制御用コンピュータ
４７　　　　　　　　　　空調機器情報
４８　　　　　　　　　　煙センサ
４９　　　　　　　　　　人感知センサ
５０　　　　　　　　　　シリアル通信機能付コンピュータ
５１　　　　　　　　　　制御用シリアル通信ポート
６０　　　　　　　　　　箱形外装
６１　　　　　　　　　　紫煙清浄機
６４　　　　　　　　　　アジャスター
６５　　　　　　　　　　椅子
６６　　　　　　　　　　カウンター
６７　　　　　　　　　　排気吸引ダクト
６８、７４　　　　　　　コントロールユニット
７０　　　　　　　　　　棚付ゲート
７１　　　　　　　　　　棚
７２　　　　　　　　　　入口
７３　　　　　　　　　　エアーカーテン装置
７５　　　　　　　　　　Ｌ字状サイドボード
７６　　　　　　　　　　エアーカーテン柱
７７　　　　　　　　　　板
８０　　　　　　　　　　正方形板
Ａ　　　　　　　　　　　喫煙空間
ａ　　　　　　　　　　　喫煙カウンター
ａ１　　　　　　　　　　喫煙ユニット
ａ２　　　　　　　　　　気流制御型分煙機
Ｂ　　　　　　　　　　　非喫煙空間
ｂ　　　　　　　　　　　カウンター本体
ｅ　　　　　　　　　　　遮蔽板
ｆ　　　　　　　　　　　支柱
ｇ　　　　　　　　　　　天井部
ｈ　　　　　　　　　　　吹出口
ｉ　　　　　　　　　　　エアーカーテン
ｊ　　　　　　　　　　　床
ｋ　　　　　　　　　　　柱
ｍ　　　　　　　　　　　機械本体
ｏ　　　　　　　　　　　パネル
Ｑ　　　　　　　　　　　外部巻込エアー量
【図１】
2004101159.tif 000003
【図２】
2004101159.tif 000004
【図３】
2004101159.tif 000005
【図４】
2004101159.tif 000006
【図５】
2004101159.tif 000007
【図６】
2004101159.tif 000008
【図７】
2004101159.tif 000009
【図８】
2004101159.tif 000010
【図９】
2004101159.tif 000011
【図１０】
2004101159.tif 000012
【図１１】
2004101159.tif 000013
【図１２】
2004101159.tif 000014
【図１３】
2004101159.tif 000015
【図１４】
2004101159.tif 000016
【図１５】
2004101159.tif 000017
【図１６】
2004101159.tif 000018
【図１７】
2004101159.tif 000019
【図１８】
2004101159.tif 000020